(57)【要約】      （修正有）【課題】既存のパイプに新規なパイプを接続するに際して、既存のパイプの接続を可能なアダプターとし、更に既存の継手に差し込み可能な差込部を形成したものであり、接続に際しての部品点数を減らし、かつ止水機能性を高めた継手アダプターを提供する。【解決手段】既設パイプと樹脂パイプとを接続する接続継手用アダプターであって、アダプターの一端を止水機能とパイプ保持機能を備えたパイプ継手に対して差し込み可能な形状とし、アダプターの他端を既設パイプに差し込み可能な形状としたことを特徴とする接続継手用アダプター。【選択図】図４
2007002917.tif 000002
【特許請求の範囲】
【請求項１】
既設パイプと樹脂パイプとを接続する接続継手用アダプターであって、アダプターの一端を止水機能とパイプ保持機能を備えたパイプ継手に対して差し込み可能な形状とし、アダプターの他端を既設パイプに接着接合可能な形状としたことを特徴とする接続継手用アダプター。
【請求項２】
アダプターのパイプ継手側の差込部の内径及び外径は、パイプ継手に差し込まれる樹脂パイプの内径及び外径と同一径である請求項１記載の接続継手用アダプター。
【請求項３】
アダプターのパイプ継手側の差込部の長さは２５ｍｍ±１０ｍｍである請求項１又は２記載の接続継手用アダプター。
【請求項４】
アダプターは、金属と比較して柔軟性を有する材料で製作された請求項１乃至３いずれか１記載の接続継手用アダプター。
【請求項５】
アダプターは、既設パイプと同材質で製作された請求項１乃至４いずれか１記載の接続継手用アダプター。
【請求項６】
アダプターの材質は塩化ビニル樹脂乃至ＡＢＳ樹脂である請求項１記載の接続継手用アダプター。
【発明の詳細な説明】
【技術分野】
【０００１】
本発明は、ワンプッシュ型のパイプ接続継手用アダプターに関するものであり、特に言えば、既設のパイプと樹脂パイプとの間の接続に供するアダプターに係るものである。
【背景技術】
【０００２】
既設パイプ２０と樹脂パイプ２５の連結に使用されるパイプ継手３０としては、図５に示すような継手が提案されている。これは、金属製のパイプ継手基体３１の一端部の内面にＯリング１３とパイプ保持リング（以下、コレットという）１４を挿入し、キャップ１５で抜け防止としたものであり、Ｏリング１３とコレット１４とで差し込まれたパイプ２５を止水し保持している。
【０００３】
一方、継手基体３１の他端部には雄ネジ部３１Ａが形成されており、既設パイプ２０に接着した接続部材３２をネジ込むようになっている。即ち、例えば既設パイプ２０が塩化ビニル樹脂からなる場合には、同じ塩化ビニル樹脂からなる接続部材３２を既設パイプ２０に接着し、その接続部材３２を継手基体３１にネジ止めするのである。このように接続部材３２を介在させるのは、塩化ビニル樹脂の既設パイプ２０と金属製の継手基体３１とを十分な強度を持って接着させることが困難だからである。
【０００４】
しかしながら、接続部材３２を使用することは、部品点数が増加するだけでなく、ネジ込み工程が必要になるといった問題があることから、その改善が望まれていた。
【０００５】
そこで本出願人は、構造の簡略化によって部品点数の削減とネジ込み工程の省略することができる既設パイプとの接続用継手を提供した（特許文献１）。
【０００６】
【特許文献１】特開２００３ー３１４７７３号公報
【０００７】
かかる提案の技術は、図６に示すようにアダプター１とアダプターの一端部の内面に収納されたＯリング１３、コレット１４及び抜け防止用のキャップ１５とからなるパイプ継手であって、アダプター１の他端部が既設パイプ２０の挿入部となっており、アダプター１が既設パイプ２０と同一材質である接続用継手に係るものである。かかる接続用継手の出現によって、既設パイプ２０と樹脂パイプとの接続が簡便となり、特にメンテナンス、リフォーム時におけるパイプ間の接続が容易となった。
【０００８】
さて、特許文献１の提案にあっては、既設パイプ２０に接続するアダプター１にパイプ継手機構を組み込んだ構造としてあるため、屈曲形状やＴ字型形状が必要な場合、別途金型を起こして新たなアダプターを製作する必要がありコスト高となってしまう。或いは、このアダプターを採用する場合には、アダプターに樹脂管、パイプ継手（Ｌ字型・Ｔ字型）、樹脂管といったように中間に樹脂管を介在させた後、各屈曲形状に変換するパイプ継手を用いる必要があるため、部品点数が増えてしまう上に、止水が必要な部分が増え、漏水の可能性が高くなるという欠点が指摘されている。
【発明の開示】
【発明が解決しようとする課題】
【０００９】
本発明は、以上のような従来の技術に鑑みてなされたものであり、アダプターの製造コストが安価となるだけでなく、その構造も簡単な接続継手用アダプターを提供するものである。
【課題を解決するための手段】
【００１０】
本発明の要旨は、既設パイプと樹脂パイプとを接続する接続継手用アダプターであって、アダプターの一端を止水機能とパイプ保持機能を備えたパイプ継手に対して差し込み可能な形状とし、アダプターの他端を既設パイプに接着接合可能な形状としたことを特徴とする接続継手用アダプターに係るものである。
【００１１】
そして、アダプターのより好ましい構成は、アダプターのパイプ継手側の差込部の内径及び外径は、パイプ継手に差し込まれる樹脂パイプの内径及び外径と同一径であり、その差込部の長さは２５ｍｍ±１０ｍｍである。
【００１２】
又、アダプターは、金属と比較して柔軟性を有する材料で製作されたもので、既設パイプと同材質で製作されたものがよく、例えばその材質は塩化ビニル樹脂乃至ＡＢＳ樹脂である。
【発明の効果】
【００１３】
請求項１の発明によれば、アダプターの一端に、パイプ継手に差し込み可能な差込部を形成することで、アダプターとパイプ継手の機能、即ち、止水機能とパイプ保持機能を分離することができたものである。アダプターとこれらの機能を別体とすることにより、アダプターの製造コストを抑えると共に、既存のパイプ継手を用いて施工することができることとなったものである。更に言えば、継手部に屈曲形状やＴ字型形状が必要となった場合でも、既存のＬ字型やＴ宇型のパイプ継手と本発明のアダプターを併用することで対応可能となったもので、在庫を減らし管理コストを減らすことができる。勿論、従来の技術のように中間に樹脂管等を介在させることなく、既存の各屈曲形状に変換するパイプ継手を用いることが容易なので中間の樹脂管が不要となり、部品点数が減らせると共に、止水部分が減り、漏水の可能性を抑えることができることとなったものである。更に、施工時にアダプターを継手に差し込むのみで済むので施工性が向上する。
【００１４】
請求項２の発明によれば、アダプターの差込口内外径を樹脂管の内外径と同一寸法とすることで、パイプ継手の形状に変更を要することが無くなり、既存のパイプ継手が利用可能となったものである。
【００１５】
請求項３の発明によれば、差込部の長さ寸法を２５ｍｍ±１０ｍｍとすれば、既存のパイプ継手の適正差込寸法に適合可能となるため、嵌め込み後のガタ付きや止水不良等の発生を大幅に削減できる。又、差込部を必要以上に長くすることによる撓み等の発生を抑止することができるため、パイプ継手からのアダプターの脱落トラブルが回避可能となったものである。
【００１６】
請求項５、６の発明によれば、アダプターを一般的な既設パイプである塩化ビニル樹脂と同材質とすることで既設パイプに接着で施工可能となり、施工性が向上する。
【発明を実施するための最良の形態】
【００１７】
本発明は既設パイプ（例えば塩ビパイプ）と樹脂管（例えばポリブテンパイプ）との接続に用いられるアダプターの改良であって、特に言えば、特許文献１にて提案したアダプターの改良に係るものであり、かかるアダプターから樹脂パイプを保持する機能を及び止水機能を除き、その代わりにアダプターにパイプ継手に差し込まれる差込口を形成して、従来のパイプ継手と組み合わせて用いるアダプターを提供するものである。このため、屈曲形状やＴ字型等の特殊形状を必要とする場合でも、アダプターは一種顆で、既にあるパイプ継手側を適当に選択することにより対応可能となったものである。
【００１８】
尚、既存のパイプと本発明のアダプターとの接着接合はアダプターを内側にしても或いは外側にしてもいずれでもよく、両者の接続は接着剤をもって行うのが一般的である。特に両者が同質材料でできている場合には強固に接着でき、望ましい形態である。
【００１９】
アダプターの既存のパイプ接続側は、アダプターの内径をＪＩＳ・Ｋ・６７４３に規定されている接合部寸法とすることで、あらゆる呼び径の既存パイプと接合可能となる。又、アダプターの外径を既存パイプの外径と同一寸法とすると、既にある継手（例えば塩ビ管継手）に接合可能となる。
【００２０】
更に、アダプターの具体的形態について言えば、アダプターの内径を呼び径１３の接合部とし、外径を呼び径２０とする等、規格に合わせた内径及び外径にすることで、パイプやパイプ継手に対する内接及び外接が可能となり、その組み合わせは自由であることは言うまでもない。
【実施例】
【００２１】
以下、本発明の好ましい実施の形態の具体例を図面に基づいて説明する。図１は、本発明のアダプター１を示す半裁図である。図中、２は後述するような止水機能とパイプ保持機能を備えたパイプ継手１０に対しての差込部であり、３は既存のパイプ２０に接着接合可能とした接続部である。この場合、既存のパイプ２０を内包しつつ接続した例であるが、場合によってはこの逆も可能であることは言うまでもない。尚、図２に示すように図示しない既設のパイプに接続された塩ビ管用継手２１に、アダプター１の接続部３が内包されて接続することも可能である。
【００２２】
この例では既存のパイプ２０は塩ビ製パイプであり、このアダプター１も塩ビ樹脂にて製作されたものである。図１にあっては既存のパイプ２０の外径と接続部３の内径を同一呼び径としたものであり、図２にあっては既存のパイプを内包して接続された塩ビ管用継手２１の内径と接続部３の外径を同一呼び径とした例である。両者間は塩ビ樹脂系の接着剤を用いることによって容易に固着される。
【００２３】
一方、アダプター１の差込部２は、パイプ継手１０の差込口に差し込まれるものであり、その外表面或いは内表面をもって止水機能をもたらし、パイプ保持機能をもたらすものである。
【００２４】
図３はかかるパイプ継手１０の一例を示す半裁図であり、パイプ継手１０を構成する継手基体１０Ａ内に流路１１が形成され、この流路１１に形成された段部１２内に止水機能をもたらすＯリング１３、パイプ保持機能をもたらすコレット１４を内蔵し、これをキャップ１５を螺着して、各部材の抜け出しを防止したものである。この例では継手基体１０ＡはＬ字状をなしており、その両端に上記の各部材を内蔵している。
【００２５】
図４は図１のアダプター１、図３のパイプ継手１０を用いて、既存の塩ビ製のパイプ２０に対して径の小さいポリブテンパイプ２５を接続した全体図である。即ち、既存の塩ビ製パイプ２０にはアダプター１の大径側の接続部３を差し込んで接着剤にて固着し、アダプター１の小径側の差込部２をパイプ継手１０のキャップ（差込口）１５に差し込み、内蔵されているＯリング１３が差込部２の外表面に環装されて止水機能を発揮し、コレット１４の内側の爪部１４ａが差込部２の外表面に食い込んで抜けを防止することとなる。
【００２６】
このパイプ継手１０の他方側のキャップ（差込口）１５には勿論樹脂パイプ（ポリブテンパイプ）２５が差し込まれたものであり、前記のＯリング１３及びコレット１４による止水及びパイプ保持機能がこのパイプにももたらされることとなる。
【産業上の利用可能性】
【００２７】
本発明は以上の通りであり、パイプ継手システム全体として部品点数が少なくてすみ、コストの低減はもとより、その装着作業性も著しく改善されたものである。
【図面の簡単な説明】
【００２８】
【図１】図１は本発明のアダプターを示す半裁図である。
【図２】図２は本発明のアダプターの別例を示す半裁図である。
【図３】図３は本発明のアダプターと共に用いられるパイプ継手の半裁図である。
【図４】図４は本発明のアダプターを用いたパイプ接続の全体図である。
【図５】図５は既設パイプと樹脂パイプの連結に供される従来のパイプ継手を示す。
【図６】図６は既設パイプと樹脂パイプの連結に供される特許文献１に提案のパイプ継手を示す。
【符号の説明】
【００２９】
１‥アダプター、
２‥パイプ継手に対しての接続部、
３‥既存パイプに対しての差込部、
１０‥パイプ継手、
１０Ａ‥継手基体、
１１‥流路、
１２‥段部、
１３‥Ｏリング、
１４‥コレット、
１４ａ‥爪部、
１５‥キャップ、
２０‥既存パイプ、
２１‥塩ビ管用継手、
２５‥樹脂パイプ。
【図１】
2007002917.tif 000003
【図２】
2007002917.tif 000004
【図３】
2007002917.tif 000005
【図４】
2007002917.tif 000006
【図５】
2007002917.tif 000007
【図６】
2007002917.tif 000008